(57)【要約】【課題】ボールペン、シャープペンシルなどの筆記用具で、その構成を前端部と後端部がねじ込み式で接続されているものについては、ねじ込みの方向により、筆記時接続部の緩みが生じ、さらには前端部と後端部の不意の分離も発生する。本発明はこのような不具合を防止する手段を提供する。【解決手段】前端部側と後端部側の接続方法を、筆記具の後方から見て後端部を軸方向に左回転、前端部を右回転したとき、接続部の締結が強まるように、前端部接続部と後端部接続部のねじを切れば、筆記時の接続部の緩み、脱落を防止可能である。また、筆記具の接続部の前端部側と後端部側を連結する、着脱可能な筒状の覆いを設け接続部に緩む力がかからないようにする方法についても合わせて発明した。【選択図】図１
2010264738.tif 000002
【特許請求の範囲】
【請求項１】
接続部が１箇所で筆記用芯の先端側を含む前端部側と後端部側の２に分割される構造、または、接続部が２箇所以上で、３より多数に分割される構造で、それぞれの接続部が前端部側及び後端部側をねじ込み方式、押し込み方式などの方法で接続されている筆記用具は、人は無意識のうちに微妙に筆記具を回転させ、少しずつ持ち替えながら字を書いているため、筆記時、前端部側と後端部側の接続部が緩む傾向にあり、ときには前端部側と後端部側が離反し、脱落することがある。
前端部側と後端部側の接続部の緩み、及び脱落防止を図り、筆記具が筆記用芯の先端側を含む前端部側と後端部側が、筆記用芯の先端の反対側から見て、後端部を筆記具の後端部から前端部に向かう軸方向の周りを左回転、前端部を筆記具の後端部から前端部に向かう軸方向の周りを右回転したとき、後端部側と、前端部側を接続する接続部の締結が強まる形でねじ込みをするように、前端部接続部と後端部接続部のねじが切られている筆記具。
【請求項２】
筆記具の接続部が、２以上の複数箇所ある筆記具で、それぞれの接続部のうちの１、或いは２以上の前端部側と後端部側が、筆記具の筆記用芯の先端の反対側から見て、後端部側を筆記具の後端部から前端部に向かう軸方向の周りを左回転、前端部側を筆記具の後端部から前端部に向かう軸方向の周りを右回転したとき、後端部側と、前端部側を接続する締結が強まる形でねじ込みをするように、前端部接続部と後端部接続部のねじが切られている筆記具。
【請求項３】
筆記具の接続部の前端部側が雄ねじ、後端部側が雌ねじの場合、またその逆で、前端部側が雌ねじ、後端部側が雄ねじの場合があるが、前端部側及び後端部側の軸に対しての回転方向のみが問題となり、後端部を筆記具の後端部から前端部に向かう軸方向の周りを左回転、前端部を筆記具の後端部から前端部に向かう軸方向の周りを右回転したとき、後端部側と、前端部側を接続する接続部の締結が強まる形でねじ込みをするように、前端部接続部と後端部接続部のねじが切られている筆記具。
【請求項４】
筆記具の接続部の前端部側と後端部側の緩み、脱落を防止する目的で、筆記具の接続部の前端部側と後端部側を連結する、筒状の覆いを設けた筆記具、及び筒状の覆い単体。
【発明の詳細な説明】
【技術分野】
【０００１】  本発明はボールペン、シャープペンシル、サインペン、筆ペンなどの筆記用具の前端部と後端部が、筆記時、不意に分離することを防止する機能に関するものである。
【背景技術】
【０００２】  本発明で用いている接続部のねじとはＩＳＯメートルねじ、国際標準化機構（ＩＳＯ）などに代表される一般的なねじである。なお、本発明で用いるねじは、ＩＳＯメートルねじ、国際標準化機構（ＩＳＯ）などの指定は一切ない。ねじ、或いは一般的に言う、ねじと同等の機能を持っていれば本発明の機能を発揮可能である。
【発明の開示】
【発明が解決しようとする課題】
【０００３】  本発明ではボールペン、シャープペンシル、サインペン、筆ペンなどの筆記用具で、接続部が１箇所で筆記用芯の先端側を含む前端部側と後端部側の２つに分割出来るもの、または、接続部が２箇所以上で、２つより多数に分割される構造のもので、接続部はねじ込み方式、又は押し込み方式で接続しているものを対象としている。
筆記用芯の先端の反対側の後端部側が、後端部から前端部に向かう軸方向の周りを、筆記用芯の先端の反対側から見て右回転させ、筆記用芯の先端を含む前端部を筆記具の後端部から前端部に向かう軸方向の周りを左回転させたとき、後端部側と、前端部側を接続する接続部の締結が強まる形でねじ込みまれるように、接続部の前端部接続部と後端部接続部のねじが切られている場合、人は無意識のうちに微妙に筆記具を回転させ、少しずつ持ち替えながら字を書いているため、筆記時、前端部と後端部の接続部が緩む方向の力が働くことがある。これは特に右から左方向へ横書きの筆記をする場合顕著だがこれは、前端部には軸方向の周りを、接続部のねじの締結を緩める右回転の力が働きやすいためである。
本発明は、以上の問題点を解決し、筆記時に筆記具の前端部と後端部が、緩み、分離することを防止するものである。
【課題を解決するための手段】
【０００４】    筆記具が筆記用芯の先端側を含む前端部側と後端部側が、筆記用芯の先端の反対側から見て、後端部を筆記具の後端部から前端部に向かう軸方向の周りを左回転、前端部を筆記具の後端部から前端部に向かう軸方向の周りを右回転したとき、後端部側と、前端部側を接続する接続部の締結が強まる形でねじ込みをするように、前端部接続部と後端部接続部のねじが切られている筆記具。
また、筆記具で筆記用芯の先端側を含む前端部側と後端部側が、筆記用芯の先端の反対側から見て、後端部を筆記具の後端部から前端部に向かう軸方向の周りを左回転、前端部を筆記具の後端部から前端部に向かう軸方向の周りを右回転したとき、後端部側と、前端部側を接続する接続部の締結が強まる形でねじ込みをするように、前端部接続部と後端部接続部のねじが切られている筆記具。
更に筆記具の接続部の前端部側と後端部側を連結する、筒状の覆いを設けた筆記具。及び筒状の覆い単体。
本発明は以上の構成よりなる、ボールペン、シャープペンシル、サインペン、筆ペンなどの筆記具の接続部の緩み防止、脱落防止を図るものである。
【発明の効果】
【０００５】本発明はボールペン、シャープペンシル、サインペン、筆ペンなどの筆記具で、後端部を右回転し、前端部を左回転させたとき接続部が締まる方式で接続されている場合、特に右から左方向への横書きの筆記をする場合、前端部には軸方向で、後端部から見た軸の周囲に、右回転の力がかかり、後端部には左回転の力がかかることが多いため、筆記時の前端部と後端部の接続部の緩み、脱落が発生する傾向にあり、これを防止するものである。
【発明を実施するための最良の形態】
【０００６】  以下本発明の実施の形態を説明する。
（イ）筆記具は、前端部（２）と、接続部（３）により前端部（２）に接続される後端部（１）より構成されるものを対象とする。
（ロ）筆記具の前端部（２）は、筆記用芯部（４）と、筆記用芯部（４）の一部である実際に筆記する部分である筆記用芯先端部（７）を含む。
（ハ）筆記具の前端部（２）がねじ込み式の接続部（３）の、前端部側接続部（６）により後端部（１）の後端部側接続部（５）に接続されている場合、ねじの方向は、後端部（１）から前端部に向かう軸方向の周りを、後端部（１）は軸方向に左回転で、前端部（２）は軸方向に右回転で締結が強化される方向とすることにより、筆記時の接続部の緩みを防止する。言い換えれば、前端部側接続部（６）のねじは後端部（１）から前端部に向かう軸方向の周りを、右回転した場合、接続部（３）の締結が強化される方向に切られ、後端部側接続部（５）のねじは、後端部（１）から前端部に向かう軸方向の周りを、左回転した場合、接続部（３）の締結が強化される方向に切られている。以上のねじの方向により、筆記時の接続部の緩みを防止する。
（ニ）筆記具の接続部の前端部（２）側が雄ねじ、後端部（１）側が雌ねじの場合、またその逆の場合でがあるが、前端部（２）側が雄ねじ、後端部（１）側が雌ねじの場合、前端部（２）側及び後端部（１）側の軸に対しての回転方向のみが問題となり、後端部（１）を筆記具の後端部（１）から前端部（２）側に向かう軸方向の周りを左回転、前端部（２）を筆記具の後端部（１）から前端部（２）に向かう軸方向の周りを右回転したとき、後端部（１）側と、前端部（１）側を接続する接続部の締結が強まる形でねじ込みをするように、前端部接続部（６）と後端部接続部（５）のねじを切って接続部の緩み、及び脱落を防止し、逆に  前端部（２）側が雌ねじ、後端部（１）側が雄ねじの場合でも、前端部（２）側及び後端部（１）側の軸に対しての回転方向のみが問題となり、後端部（１）を筆記具の後端部（１）から前端部（２）側に向かう軸方向の周りを左回転、前端部（２）を筆記具の後端部（１）から前端部（２）に向かう軸方向の周りを右回転したとき、後端部（１）側と、前端部（１）側を接続する接続部の締結が強まる形でねじ込みをするように、前端部接続部（１７）と後端部接続部（１６）のねじを切って接続部の緩み、及び脱落を防止する。
（ホ）接続部が接続部２（１０）、接続部３（１１）など２以上ある場合、それぞれの接続部の１に、或いは２以上に、後端部（１）側を筆記具の後端部（１）から前端部（２）側に向かう軸方向の周りを左回転、前端部（２）を筆記具の後端部（１）から前端部（２）に向かう軸方向の周りを右回転したとき、後端部（１）側と、前端部（１）側を接続する接続部の締結が強まる形でねじ込みをするように、前端部接続部（１７）と後端部接続部（１６）のねじを切って接続部の緩み、及び脱落を防止するのと同様の措置を実施する。
（ヘ）筆記具の後端部（１）と前端部（２）を接続する接続部（３）と前端部（２）を接続部覆い（１２）により締結し、接続部の緩みを防止する。
（ト）接続部が接続部２（１０）、接続部３（１１）など２以上ある場合、それぞれの接続部に緩み、脱落防止の措置が必要な場合、それぞれに接続部２（１０）には、接続部覆い２（１３）、接続部３（１１）には、接続部覆い３（１４）により締結し、接続部の緩みを防止する。接続部の数が更に増加した場合も同様である。
【図面の簡単な説明】
【０００７】
【図１】本発明の斜視図
【図２】本発明の接続部分離の斜視図
【図３】本発明の筆記用芯部
【図４】本発明の接続部が２ある場合の斜視図
【図５】本発明の接続部覆いの斜視図
【図６】本発明の接続部覆いと、筆記具を取り付けた場合の斜視図
【図７】本発明の接続部が２以上ある場合の接続部覆いの斜視図
【図８】本発明の接続部が２以上ある場合の接続部覆いの斜視図
【図９】本本発明の接続部が２以上ある場合の接続部覆いと、筆記具を取り付けた場合の斜視図
【図１０】本発明で、前端部側が雌ねじ、後端部側が雄ねじの場合の斜視図
【図１１】本発明で、前端部側が雌ねじ、後端部側が雄ねじの場合の接続部分離の斜視図
【符号の説明】
【０００８】（１）後端部、（２）前端部、（３）接続部、（４）筆記用芯部、（５）後端部側接続部、（６）前端部側接続部、（７）筆記用芯先端部、（８）前端部２、（９）前端部３、（１０）接続部２、（１１）接続部３、（１２）接続部覆い、（１３）接続部覆い２、（１４）接続部覆い３、（１５）接続部４、（１６）後端部側接続部２、（１７）前端部側接続部２
【図１】
2010264738.tif 000003
【図２】
2010264738.tif 000004
【図３】
2010264738.tif 000005
【図４】
2010264738.tif 000006
【図５】
2010264738.tif 000007
【図６】
2010264738.tif 000008
【図７】
2010264738.tif 000009
【図８】
2010264738.tif 000010
【図９】
2010264738.tif 000011
【図１０】
2010264738.tif 000012
【図１１】
2010264738.tif 000013